(57)【特許請求の範囲】
【請求項１】
連結される剛毛を有した湾曲する撚り合せたコア（１１）を備えるブラシ（１０；２０；３０；４０；５０；６０；７０；９０）であって、
観察するために前記コアをまっすぐに伸ばして直線状にした際に、少なくとも１つのノッチ（１５）の凹面が前記コアにほぼ垂直な方向に向けられており、
前記湾曲したブラシの長さの少なくとも一部にわたって幾何学的形状が同じでなく変化する断面を有し、前記コアの少なくとも一点における前記断面が、前記点における前記コアの湾曲平面（Ｗ）に垂直である平面（Ｋ）に対して非対称であり、
また、前記ノッチ（１５）を備える部分の幅が前記ノッチの一端と他端との間で最大値まで変化して一様でないワイパ機能をもたらし、コアがステムの一端部に接続され、前記ステムの他端部が容器のキャップに固定され、
さらに、前記コアが、前記ノッチ（１５）をほぼ平面状のファセット（１７）に変更すると共に該ファセット（１７）の反対側に、外側に凹面状の包絡面（１６）を形成するように湾曲されていること
を特徴とするブラシ。
【請求項２】
互いに異なる形状の少なくとも三つの面を有することを特徴とする請求項１に記載のブラシ。
【請求項３】
前記ノッチ（１５）が、真直ぐに伸ばされたコアの軸線に垂直な軸線のまわりで円筒状であることを特徴とする請求項１に記載のブラシ。
【請求項４】
前記コアを横切ってのびる断面で観察した場合に、前記ノッチが外向きに凹面形状であることを特徴とする請求項１に記載のブラシ。
【請求項５】
観察するために前記コアをまっすぐに伸ばして直線状にした際に、前記ブラシが少なくとも四つの面をもち、二つの隣接した面がほぼ平面であり、他の二つの面が平面でないことを特徴とする請求項１〜４のいずれか一項に記載のブラシ。
【請求項６】
観察するために前記コアをまっすぐに伸ばして直線状にした際に、ほぼ正方形又は矩形の断面を有し、二つの隣接した面が平面であり、他の二つの隣接した面が外向きに凹面を成していることを特徴とする請求項１〜５のいずれか一項に記載のブラシ。
【発明の詳細な説明】
【技術分野】
【０００１】
本発明は、ケラチン質繊維組織に化粧品または手入れ用品を付けるため、さらに詳細に言えば睫毛にマスカラを付けるためのブラシに関する。
【０００２】
本発明はまた、そのようなブラシをはじめとするメイクアップ道具に関する。
【背景技術】
【０００３】
さまざまなブラシが既知であり、このようなブラシは、コアから放射方向に延在する剛毛の房をコアとする金属線の二つの分岐部分を螺旋状に捻じることによって形成されており、分岐部分は、プラスチック材料で製造されるステムに固定され、塗布対象の物質を収容する容器を遮断するためのキャップに固定されている。
【０００４】
剛毛の自由端部は包絡面を規定し、この面はさまざまな形状を呈することができる。
【０００５】
したがって、フランス国特許出願公開明細書FR-A-2 605 505号は、直線コアを有し、複数の側面を呈し、各側面が実質的にブラシの全長にわたって延在するノッチを呈し、各ノッチが断面において外側に向かって凹面を成している外形を呈しているブラシを開示している。このようなノッチの間には隆起領域が規定されている。コアの軸は、ステムの軸と一致している。このようなブラシを用いて物質が塗布される場合には、ステムの軸を中心にしてブラシを回転し、睫毛が同一形状の側面に連続的に接触するようにする。
【０００６】
欧州特許出願公開明細書EP-A-0 663 161号は、直線コアを有し、その側面に外側に向かって凹面を成すノッチを有するブラシを開示している。これらのノッチの縁は、ベースで接合している二つの普通の円錐台の形状の包絡面に属している。
【０００７】
欧州特許出願公開明細書EP-A-0 692 603号は、直線コアおよびそのコアに形成される一つ以上のノッチを有する円柱部分を有し、ノッチの幅がブラシの軸に沿って進む間に最大となるブラシを開示している。
【０００８】
フランス国特許出願公開明細書FR-A-2 755 593号は、コアが曲率の平面に延在しているため、コアが直線でないブラシを開示している。ブラシの包絡面は、その長さの少なくとも一部にわたって細長い形状の断面を呈し、上記の細長い断面が曲率の平面に平行な主軸を有する。曲率の平面の両側に位置するブラシの二つの片割れ部分は、曲率の平面を中心にして対称である。
【０００９】
フランス国特許出願公開明細書FR-A-2 749 489号およびフランス特許出願公開明細書FR-A-2 749 490号は、他の湾曲したコアを有するブラシを開示している。このようなブラシの断面は、ブラシの一端から他端まで幾何学的に類似の形態（相似の形態）で変化する。言い換えれば、長さに沿って二つの異なる位置で切って取られたブラシの二つの断面を比較した場合には、一方の断面は他方の断面の拡大図を構成している。すなわち、一方の断面と他方の断面の比は、コアの軸を中心とした方向に関係なく一定である。このようなブラシはまた、コアに垂直な中間面を中心にして対称であるブランクから始まるようになっている。
【００１０】
米国特許明細書第5,937,870号は、長さの少なくとも一部にわたって細長い断面を有するブラシについて記載している。そのブラシは、コアの曲率の平面を中心にして対称である二つの経路を呈する。
【００１１】
米国特許明細書第5,876,138号は、直線コアであり、通常は魚形状のブラシについて記載している。
【００１２】
ドイツ国特許出願明細書DE-A-4 205 935は、一定の角度で曲げられるコアを有し、一定かつ円形の断面を有するブラシについて記載している。
【発明の開示】
【発明が解決しようとする課題】
【００１３】
本発明の目的は、既存のブラシをさらに改良し、特に物質の塗布に関して、睫毛の間および睫毛の間隔の間で、剛毛の延長部、湾曲部、突出部をもって得られるメイクアップの品質を向上させることにある。
【課題を解決するための手段】
【００１４】
本発明は、剛毛が連結される湾曲したコアを含む新規のブラシによって、これを実現する。上記のブラシは、幾何学的に類似でない（コアに対して相似でない）形態で、ブラシの長さの少なくとも一部にわたって変化する断面を呈し、コアの少なくとも一点における上記の断面は上記の点におけるコアの曲率の平面に垂直である平面に対して非対称であることを特徴とする。
【００１５】
コアの断面は、ブラシの部分に沿って延在するコアの部分の任意の点におけるコアの曲率の平面に垂直な平面を中心として非対称であってもよく、その断面は幾何学的に類似でない形態で変化する
【００１６】
本発明による新規のブラシは、コアが湾曲していることにくわえて、ブラシがステムの軸を中心にして回転される場合には、睫毛をよい状態に保つことができるような異なる形状を有する側面を呈しているため、きわめて満足度の高いメイクアップ品質を得ることができる。ブラシの形状はまた、不均一な拭い取りを行うことができるため、物質が不規則に占める領域を生じることになる。
【００１７】
見た目に、コアが真直ぐに伸ばされて直線となる場合には、ブラシの剛毛の自由端部によって規定される面は円対称ではない。
【００１８】
言い換えれば、本発明によるブラシ、すなわち、湾曲したコアを有し、最初のブラシの形状、すなわちコアが湾曲される前の形状をより容易に観察するためだけに上記のコアを妥当な状態にしたブラシから始めると、最初のブラシの剛毛の自由端部によって規定される面は円対称ではない。
【００１９】
本発明の形態において、ステムの軸とコアの任意の点において剛毛を支持しているコアの部分との角度は、常に90°未満である。
【００２０】
具体的な実施形態において、このブラシは、互いに異なった形状の少なくとも三つの側面を有する。
【００２１】
本発明のブラシは、異なる形状の面の作用とは異なる所与の形状のブラシの面の作用を用いて、睫毛に剛毛によって加えられる効果の数を増大させることができる。
【００２２】
見た目に、コアが真直ぐに伸ばされて直線となる場合には、ブラシは、コアとほぼ同一の軸の部分、たとえば円柱部分または円錐台部分を呈し、たとえば、コアに沿って進むとき、その幅が最大値を通過する少なくとも一つのノッチを備えていてもよい。したがって、その長さの少なくとも一部にわたって、ノッチが存在するために、ブラシは、幾何学的に類似でない形態で変化する断面を呈していてもよい。
【００２３】
具体的に言えば、見た目に、コアが真直ぐに伸ばされて直線となる場合には、ブラシは、コアに実質的に垂直である方向に面している凹面状の側面を有する凹面ノッチを呈することができる。このようなノッチは、真直ぐに伸ばされたコアの軸に垂直な母線を有する円柱形であってもよい。言い換えれば、ノッチの付近におけるブラシの包絡面は、柱面である、すなわち準線の周囲でそれ自体に平行な母線を移動させることによって生成される。準線は、円、楕円または任意の他の曲線の一部であってもよい。「湾曲した」なる語は、本発明の意味では角度で挟む線が曲線を構成するような「非直線」を指すために用いられる。
【００２４】
コアに対して横断方向に延在する断面の平面において見た目に、ノッチはまた、外側に向かって凹面である形状を呈していてもよい。
【００２５】
一例として、見た目に、コアが直線にするために妥当な状態にされ他後のブラシにおけるノッチの数は、たとえば３、５または７に等しい奇数であってもよい。
【００２６】
別の具体的な実施形態において、見た目に、一旦、コアが真直ぐに伸ばされて直線となると、ブラシは、少なくとも四つの側面を呈する。そのうちの二つの側面は実質的に平面であり、かつ隣接しており、他の二つの側面は平面ではない。
【００２７】
具体的な実施形態において、ブラシは、具体的に言えば、見た目に、コアが直線にされるために真直ぐに伸ばされた後、平面である二つの隣接する側面と、外側に向かって凹面を成している他の二つの隣接する側面と、を具備していてもよい。
【００２８】
他の実施形態において、見た目に、コアが真直ぐに伸ばされて直線となった後、ブラシはまた、コアの軸を中心にして三角形を構成するように配置された少なくとも三つの実質的に平面のファセットを有する普通のピーナッツ形状を呈していてもよい。
【００２９】
そのような最初の形状から製造された本発明のブラシにおいて、たとえば、ファセットの少なくとも一つは、コアに対して所望の曲率によって平面でない状態になりうる。
【００３０】
具体的な実施形態において、コアは、ブラシの長さの少なくともその一部が、中心からずれている。
【００３１】
ブラシは、円対称であるか、または対称でないブランクから製造されることができ、弾丸、砂時計、ピーナッツ、ブイ、魚またはラグビーボール（すなわちアメリカンラグビーボールまたはラグビーボール）の普通の形状である形状を呈している。
【００３２】
具体的に言えば、ブラシは、ブラシの二つの軸の端部の間で少なくとも一つの極値を通過する断面を有する普通の円対称であるブランクから製造されることができ、上記の極値は、ブラシに沿った途中以外に位置する可能性があり、最大値または最小値によって構成される。
【００３３】
具体的な実施形態において、ブラシは、普通の円対称であり、かつ直径がその自由端部を始点とするブラシの長さの第一の片割れにおいて最大値を通過し、ブラシの長さの第二の片割れにおいて最小値を通過する断面を有するブランクから製造されることができる。これは、具体的に言えばブランクが普通の魚形状である場合に適用される。
【００３４】
ブラシの断面はまた、その長さの少なくとも一部にわたって、外縁を構成する段差を呈していてもよい。
【００３５】
コアは、左撚りピッチまたは右撚りピッチ、たとえば、フランス国特許出願明細書FR-A-2 701 198号に記載のような左撚りピッチを有するツイスト状のコアであってもよい。
【００３６】
ステムに固定される端部からコアの軸に沿って見た場合には、ステムから離れてブラシの自由端部に向かって進むときに時計方向に回転するように回転部を形成するために、左撚りのピッチブラシにおいて、コアのストランドが左方向に回転させることによって撚り合わされる。
【００３７】
ブラシが左撚りのピッチを有する場合には、コアは、ステムから段階的にさらに離れるときに、ステムの軸に対して剛毛によって形成される螺旋状のシートの勾配を減少させるような形態に有利に湾曲している。したがって、上記の睫毛と上記のシートとの間の角度を増大させることによって、瞼の端で睫毛の分離を向上させることができる。
【００３８】
ブラシが右撚りピッチを有する場合には、コアの曲率はまた、メイクアップに所望の結果を得るために剛毛のシートの向きを修正することもできる。
【００３９】
金属線の二つのストランドを共に撚り合わせること以外の方法によって、コアを製造することができ、剛毛は、他の支持物に植え付けられたり、成形されたりしてもよい。
【００４０】
剛毛は、天然であっても合成であってもよく、たとえば、丸い先端または二股の端部を形成するために、任意の既知のタイプの処理法をそれらの端部に施すことができる。
【００４１】
ブラシは、異なる長さの剛毛を含むことができる。具体的に言えば、短めの剛毛が、長めの剛毛の自由端部によって構成される包絡面によって規定される体積内に含まれる。
【００４２】
剛毛を混合したものを用いることも可能であり、あらゆる種類の剛毛、中空である剛毛、毛管状の溝を有する剛毛、螺旋状、平坦などの好ましい変形領域を有する剛毛を用いることが可能である。
【００４３】
ブラシの軸は、ステムに近づくように角度を成していてもよい。コアが撚り合わされるとき、コアは、ステムに受付けられる部分の付近である角度を成していてもよい。
【００４４】
本発明は、コアが一本の軸を中心にして湾曲しているブラシに限定されるわけではない。
【００４５】
具体的に言えば、コアは、互いに平行でない二本の軸を中心にして湾曲していてもよい。
【００４６】
このような状況の下で、コアの軸は、一つの曲率の平面に完全に含まれることはない。
【００４７】
その軸を中心にしてコアが湾曲されるようなこれらの軸は、任意に垂直な方向に延在してもよく、任意に交差する方向に延在してもよい。
【００４８】
ステムから遠いブラシの端部がステムの軸に対して中心がずれている場合、およびブラシがステムの直径に適合する比較的固いワイパを通過する場合には、ワイパを通過するためにブラシを曲げることができ、ワイパを通り抜けるとすぐに、横断方向への移動によって初期構成に戻ることができ、ブラシの端部に存在する可能性がある少量の物質を剥ぎ取る効果を持ちうる。これは、少量の物質がブラシの自由端部に存在する危険性を削減する。そのような少量物質は、塗布中に問題を生じる恐れがある。
【００４９】
ブラシのコアは、たとえば、直線または実質的に直線である部分および湾曲した部分を有するコアによって、一定でない曲率を示し得る。
【００５０】
本発明の別の形態は、その長さの少なくとも一部にわたって、剛毛を支持する非直線コアを含むブラシであって、少なくとも第一の点におけるコアの中心にある断面および少なくとも第二の点におけるコアに対して中心がずれている断面を呈するブラシを提供することにある。
【００５１】
第一の点は、たとえばコアが固定されるステムに隣接するブラシの端部またはブラシの自由端部に対応することができる。
【００５２】
本発明はまた、ブラシの製造方法も提供し、この方法は以下のステップ、すなわち
ａ）幾何学的に類似でない形態で円対称でない面を規定し、かつ断面がコアの長さの少なくとも一部にわたって変化するような自由端部を備え、そこに連結される剛毛を含む直線コアを有するブラシであって、実質的に平面、凹面および／または凸面である少なくとも一つの側面または実質的に直線または曲線である縁を有するブラシを製造するステップと、
ｂ１）上記の側面が実質的に平面であった場合には凹面または凸面となり、または凹面または凸面であった場合には実質的に平面となるような形態で、コアを湾曲させるステップと、
または
ｂ２）上記の縁が実質的に直線であった場合には曲線となり、または曲線であった場合には実質的に直線となるような形態で、コアを湾曲させるステップと、を含み、
結果として生じるブラシは、コアに沿った少なくとも一つの点において、上記の点におけるコアの曲率の平面に垂直である平面を中心にして対称でない断面を有する。
【００５３】
したがって、最初は直線、凹面または凸面であった縁を凹面または凸面、直線にするような形態で、コアを湾曲させることができる。このような状況の下で、上記の縁を含む曲率の平面において、コアを湾曲させることができる。
【００５４】
また、最初は平面であった面を凹面または凸面のいずれかにするような形態で、コアを湾曲させることができる。このような状況の下で、上記の最初の平面に垂直な曲率の平面において、コアを湾曲させることができる。
【００５５】
また、最初は凹面または凸面であった面を平面にするような形態または実際にはその凹面を逆にするような形態で、コアを湾曲させることができる。このような状況の下で、具体的に言えば、上記の面に関して対称である中間面を構成し、コアの軸を含む曲率の平面において、コアを湾曲させることができる。
【００５６】
上記のステップａ）において最初のブラシを製造するために用いられるブランクは、円柱、砂時計、ピーナッツ、ベースによって接合される二つの円錐台を含むブイ、弾丸、魚またはラグビーボールの形をとってもよい。
【００５７】
ステップｂ１）またはｂ２）においてその軸を中心にして１度目にコアが湾曲される軸に平行でない曲率の軸を中心にして、２度目にコアを湾曲させることができる。
【００５８】
本発明はまた、このような方法によって得られるブラシを提供する。
【００５９】
本発明はまた、上記に規定したブラシを含むメイクアップ道具を提供する。
【００６０】
具体的に言えば、このようなメイクアップ道具は、供給物質、たとえば、マスカラを含む容器と、一端に把持部材、他端にブラシを備えているアプリケータと、を備えることができ、把持部材を容器にねじ込む場合に、上記のアプリケータは、容器に漏れ防止の形態でしっかりと閉めることが好ましく、容器内に収容される好ましい液状物質にブラシを漬けることができ、上記の容器はまた、ワイパを備える。
【発明を実施するための最良の形態】
【００６１】
本発明は、さまざまな実施例に関する以下の詳細な説明を読み、添付の図面を参照すれば、より理解されよう。
【００６２】
本発明の第一の実施形態を、図１〜図８を参照して以下で説明する。
【００６３】
図７は、マスカラを睫毛に塗布するための本発明によるブラシ１０を示しており、このブラシは、従来の形態のコア１１の回転部の間に固定される剛毛１２の房を備えた二つの共に撚り合わせられたストランドによって構成されるコア１１を具備している。
【００６４】
コア１１は、たとえば、ブラスチック材料で構成されることができるステム１３の一端に固定され、コア１１は、その間に圧力嵌めとして挿入される。
【００６５】
ブラシ１０を製造するために、円柱ブランクは、図１に示されているように、直線であり、かつステム１３の軸Ｙと一致する軸Ｘに沿って延在するコア１１が用いる。ノッチ１５は、ブランクに形成される。
【００６６】
剛毛の自由端部は、包絡面１４を規定する。
【００６７】
図２からわかるように、この包絡面１４は、円錐台端部分１４ａと、ノッチ１５の底部１４ｃを除けば一周する円柱である主要部分１４ｂと、を含む。
【００６８】
ノッチ１５の底部１４ｃは、図２の平面に垂直である軸を中心にして柱面を構成する。
【００６９】
図４に示されるような変形例において、ノッチの底部１４ｃは一部の円の形を成す断面を有し、ノッチ１５は図２の平面に垂直な軸およびコアの軸Ｘに平行な軸の両方を中心にして凹面を成している。
【００７０】
図１および図２の最初のブラシからブラシ１０を製造するために、図２の平面に垂直な曲率の軸を中心にしてコア１１が湾曲される。実質的に平面のファセット１７に変形するような程度まで平坦化する効果をもたらすために、上記の軸は、ノッチ１５とは反対側の側面に位置している。
【００７１】
ノッチ１５に取って代わるようなファセットを形成することはまた、ノッチ１５の反対側に、外側に向かって凹面を成している包絡面１６を形成する効果がある。
【００７２】
図８を検討すると、最初のノッチ１５が形成されるコアの部分にわたって、ブラシがコアの曲率の平面Ｗに垂直な平面Ｋを中心にして対称でない断面を呈し、その中に軸Ｘを含む。
【００７３】
上述の実施形態において、図１および図２に示されるブランクは、一つのノッチ１５のみを有する。
【００７４】
図９および図１０に示されているように、対称に配置されている三つのノッチをブランクの軸Ｘと当接させるブランクから始めることができ、その長さの一部にわたって断面が普通の三角形であるブラシを提供する。
【００７５】
図９のブラシから始めると、図２のブラシを図７のブラシに変形するためと同様の形態でコア１１に曲率を与えることによって、本発明によるブラシを製造することが可能である。
【００７６】
次に、結果として生じるブラシは、用いられたノッチ１５の一つがそうであったような実質的に平面のファセットを呈する。
【００７７】
図７のブラシのコアの曲率の平面は、図２の平面に平行であり、軸Ｘを含む。曲率のこの平面は、ファセット１７に関して対称であり、ファセットに実質的に垂直である中間面を構成している。奇数のファセット１７を有することにより、図９の二つの隣接するノッチ１５の間に形成される稜線１９の一つが、コア１１の曲率の平面に含まれ、上記の稜線に対向するノッチ１５がコアに与えられた曲率によって妥当な状態にされることを観るべきである。
【００７８】
図１１は５つのノッチ１５を有する最初のブラシを示しており、図１３は７つのノッチを有する最初のブラシを示している。
【００７９】
本発明によるブラシは、図１〜図１０に関して上述したものと類似の形態でコアに曲率を与えることによって、これらの最初のブラシから得られる。
【００８０】
本発明の別の実施形態を構成するブラシ２０の実施例は、図１５〜図２０を参照して以下に説明される。
【００８１】
最終的なブラシ２０は、図１９および図２０に示されている。
【００８２】
このブラシ２０を製造するために、最初のブランクは、図１５に示されているように、直方体形の主要部分２１ｂを角錐台形を成す端部分２１ａと組合わせることによって形成される包絡面２１を有する上記のブランクである。図１６に示されているように、このブランクは、少なくともある点においてコアを中央とした断面を含む。すなわちコアは、断面の重心の位置にある。図１６および図１８を比較することによってわかるように、ノッチ２２，２３は、コアに対して非相似の形態で断面を変化させる。図１８において、コアは中心がずれている。すなわち、コアは断面の重心の位置にない。
【００８３】
二つの凹面ノッチ２２，２３は、図１７に示されているように、二つの隣接する面においてこのブランク上に形成され、上述した実施例において、これらのノッチは、包絡面２１の主要部分２１ｂの全長にわたって延びている。
【００８４】
これらのノッチ２２，２３の個々の底部２１ｅ，２１ｃは、コアが変形される前には、すなわちコア１１がまだ直線である間は、柱面の部分を構成する。
【００８５】
その後、軸Ｂを中心にしてコアを曲げることによって、ノッチ２３を平坦にするために、一定の量の曲率がコア１１に与えられる。
【００８６】
次に、最初は平面である対向面２１ｄが外側に向かって凹面となる間に、ノッチ２３の底部２１ｃが実質的に平面となる。
【００８７】
したがって、ノッチ２２の底部２１ｅは、コアの曲率の平面に平行な軸Ａおよび軸Ｂの両方を中心にして湾曲される。
【００８８】
図１７に示されており、ノッチ２２に対向するブラシの面２１ｆは、それぞれ軸Ｘに平行な直線および外向きに凹面を成す円形である二つの縁２５，２６によって規定される。
【００８９】
コア１１に与えられる曲率のために、図１９のブラシでは、縁２５は曲線に、縁２６は実質的に直線となる。
【００９０】
結果として生じるブラシ２０は、コアの曲率と、その側面の異なる形状のために、メイクアップ中、ステム１３の軸Ｙを中心にしてブラシを回転すると、互いに睫毛と接触することになり、きわめて高品質のメイクアップを提供することができる。
【００９１】
図２５は、図２１に示されているような最初のブラシから得られる本発明によるブラシ３０を示している。
【００９２】
この最初のブラシは、普通のピーナッツ形である。
【００９３】
図２２および図２４に示されているように、コアの軸Ｘに平行な実質的に平面のファセット３１は、最初のブラシに機械加工される。
【００９４】
これらのファセット３１は、ブラシの三つの側面に形成されるため、ブラシの断面において、図２４に示されているように、ファセット３１の間に形成される稜線領域３３を有する普通の三角形を呈する。
【００９５】
上述の実施例において、ファセット３１は、コア１１から距離をおいて、すべて機械加工され、ブラシの二つの膨らんだ部分の間に位置する最小直径円３２の半径に、実質的に対応する。
【００９６】
当然のことながら、ファセット３１に関して、コア１１からの異なる距離で機械加工されることは、本発明の範囲を逸脱することはないと推測され、ブラシの一方の側面に位置する一連のファセットが、別の一連のファセットがブラシの別の側面に位置するように機械加工される距離とは異なる一定の距離をコア１１からあけて、機械加工される。また、直径の小さい円３２の半径より短いか、または上記の距離を超えるコアから距離をあけて、ファセット３１を機械加工してもよい。
【００９７】
図２５のブラシは、図２２に示されているブラシの上縁に対応する稜線領域３３が実質的に直線となるようにするような形態で、コア１１に曲率を与えることによって、図２２に示されているようなブラシから製造される。
【００９８】
コア１１に与えられる曲率は、下縁３３とは正反対のブラシの側面の形状を変形させる効果がある。
【００９９】
したがって、図２２のブラシの二つの上ファセット３１は、外側に向かって凹面を成しており、直線でない領域３４によって図２５のブラシに連結される。
【０１００】
本発明のブラシを製造するために、さまざまな形状を呈するブランクから始めることが可能である。その数例であり、すべてを網羅していないが、実施例が図２６〜図２９に示されている。
【０１０１】
図２６は普通の弾丸形状の最初のブラシを示し、図２７はブイ形状のブラシを示し、図２８および図２９は魚形状のブラシを示している。
【０１０２】
図３８〜図４１は、図２６〜図２９に示されているブランクからそれぞれ得られる本発明のブラシを示している。
【０１０３】
図３８に示されているブラシ４０を製造するために、第一のステップは、図３０および図３１に示されているような普通の三角形である断面を得るために、図２６のブランク上に三つの実質的に平面のファセット４１を形成する。
【０１０４】
その後、コア１１は、その自由端部と最大直径の円４３との間に延びるブラシの端部分４２を妥当な状態にするような形態に変形される。
【０１０５】
この変形の結果は、最大直径円４３とステム１３の付近に位置する端部との間で延在するブラシの部分４５の上縁４６と少なくとも部分的に実質的な直線にするために、図２６のブラシの端部分の上縁４４を適切な状態にすることである。
【０１０６】
図３８のブラシ４０において、ステム１３に隣接するブラシの部分は、直径が比較的小さく、かつステムの軸Ｙに実質的に存在するため、比較的均一に拭い取ることができることがわかる。
【０１０７】
コア１１の凹面を成す側面の付近に位置するブラシの端部領域４７は、ステム１３の軸Ｙとは比較的大きく中心がずれており、さらに完全に拭い取ることができる。
【０１０８】
対向領域４８は、ステムの軸Ｙ上に実質的に存在するため、あまり十分に拭い取ることはなく、多めの物質が上記の領域に蓄積する可能性がある。
【０１０９】
したがって、一旦、ブラシ４０が容器から引き抜かれて、その過程で拭われると、ブラシは、物質がたっぷりついている一つの領域と、ほとんどついていない別の領域と、を保持している。殆どついていない領域は、瞼の端に存在する小さな睫毛を分離するために用いるのに適している。
【０１１０】
図２７に示されているブランクから図３９のブラシ５０を製造するためには、ブラシは、図３２および図３３に示されているような三つの実質的に平面のファセット５１を形成するために最初に切削されてから、自由端部と最大直径円５３との間に延在する図２７のブラシの部分の上縁５４が、最大直径円５３とステム１３に隣接する端部との間に延在する図２７のブラシの部分５５の上縁５６とが実質的に直線となるようにするために、適切な状態にされる形態に、コア１１が湾曲される。
【０１１１】
図２８に示されているブランクから図４０のブラシ６０を製造するためには、三つの実質的に平面のファセット６２は、膨らんだ部分６２に三角形の構成となるように最初に形成される。
【０１１２】
上記の実施例において、これらのファセットを形成するために、ステム１３に隣接するブラシの端部によって規定される円部６３の半径より大きいコア１１からの一定距離延びる平面において、そのたびごとにブラシが切削されるため、図３４および図３５に示される形状を有するブラシが生じる。
【０１１３】
その後、コア１１は、たとえば、膨らんだ部分６１と端部の円部６３との間に延びる縁が平坦になるように、ブラシの下縁６４が適切な状態になるような形態に変形される。
【０１１４】
縁６４と正反対の上縁６５は、コア１１に与えられる曲率のために、さらに深く凹ませるようになっている。
【０１１５】
図２９に示されている魚形状のブランクから図４１のブラシ７０を製造するためには、第一の作業は、図３６に示されているブラシを得るために、三角形の構成に三つの平面ファセット７１を形成するような形態にブランクを切削することである。
【０１１６】
図２８の実施例では、ステム１３から遠いブラシの端部は卵形状であるのに対し、図２９の実施例では、この端部は円錐台形の形状であることが観察される。
【０１１７】
さらに、図２８に示された実施例と異なり、今度は、ファセットが切削される平面は、ステム１３の付近に位置するブラシの端部によって画定される円部７３と交差する。
【０１１８】
次に、ブラシの本体とステム１３に隣接する部分との間に延在する部分における下縁７４を平坦にするために、図３６のブラシのコア１１が湾曲される。
【０１１９】
図４８および図４９は、コアが湾曲される前の二つの別の最初のブラシを示している。
【０１２０】
図４８に示されているブラシ１２０は、円錐台の一つに形成される少なくとも一つのファセットを有する普通の砂時計の形状である。次に、側面の一つの凹面を成す縁１２１を平坦にするために、円錐台の間の接合部の付近で、コアを押し戻すことができる。
【０１２１】
図４９に示されているブラシ１３０は、ノッチ１３１を有するラグビーボールの形を成している。ノッチ１３１を平坦にするために、続いて、そのコアを押し戻すことができる。
【０１２２】
図３８〜図４１の実施例において、コア１１の曲率の平面は、最初のブラシのファセットのうちの一つに実質的に垂直である。
【０１２３】
本発明は、上述の実施例に限定されるわけではない。
【０１２４】
具体的に言えば、曲率の一つの平面に完全に延在することはないため、付加的な曲率をコアに与えることができる。
【０１２５】
一例として、図４２は、図４２の平面に平行な軸Ｃを中心にして、図７のブラシのコアに付加的な曲率を与えることによって得られる、ブラシ９０を示している。
【０１２６】
二本の平行でない軸を中心にしてコアを湾曲させることによって、ブラシの形状をさらに変形することができる。
【０１２７】
具体的に言えば、ステム１３に隣接する部分が実質的に均一な形態で拭き取られ、端部分が等しくないように拭き取られる領域を有するブラシを得ることができる。
【０１２８】
また、図４３に示されるように、本発明のブラシに段差を形成することも可能である。この図では、その長さの少なくとも一部にわたって延び、実質的に放射状に側面を有する面にセットバック１１０を形成するような形態にブラシが機械加工されたことがわかる。
【０１２９】
図４４は、本発明によるブラシを備える容器およびアプリケータ道具１００を示している。
【０１３０】
ステム１３は、把持部材として、および睫毛に塗布するための物質Ｐを収容する容器１０２の漏れのないクロージャのための部材として作用するキャップ１０１に固定される。
【０１３１】
容器１０２は、外螺子を備え、任意の従来のタイプであってもよく、容器に残すようにステム１３を拭き取るようになされることが好ましいワイパ１０４を収容するネック１０３を有する。
【０１３２】
図４５および図４６に関して以下に説明するように、左撚りのピッチを有するブラシから始めることが特に好都合であることを観察すべきである。
【０１３３】
図４６には、左撚りのピッチで撚り合わされるコアを備えた図７のブラシを見て取ることができる。
【０１３４】
破線は、剛毛の端部によって規定されるシートＮによって辿られる経路を示しており、これらのシートは、コアに垂直な平面に対して角度ｖである。
【０１３５】
図４５を検討すれば、ステム１３の軸Ｙに対するシートＮの角度は、ブラシの自由端部に接近するにつれて小さくなることがわかる。その結果、瞼の端でシートＮと睫毛Ｈとの間の比較的大きな角度ｉを保持することができ、睫毛を十分に分離することができる。
【０１３６】
図４７に示されているように、コアがまっすぐでない場合には、コアに与えられる曲率はまた、剛毛を所望の向きに向けるように作用してもよい。
【０１３７】
図５０は、用いられるブラシの湾曲した側面を用いて瞼の一方の端に位置する睫毛にメイクアップを施すために用いる図７のブラシを示し、図５１は実質的に直線の側面で用いられるブラシの端部を用いてメイクアップを施される瞼の反対側に位置する睫毛を示している。
【０１３８】
図５２は、ステムに近いコアにおいて曲げられた角度を形成することができることを示している。
【０１３９】
図において、コアの曲率は、本発明をさらに簡単に理解させるために誇張されている。
【０１４０】
たとえば、瞼の曲率に適応させるために上記の曲率をより小さく特徴付けることは、本発明の範囲を逸脱しないと推測される。
【０１４１】
また、一つの曲率面においてＳ字形状にコアを湾曲してもよい。
【０１４２】
ステムに実質的に平行であるブラシの少なくとも一つのアプリケータ面と、軸からずれている部分と、を有することが可能である。
【０１４３】
本発明のブラシは、さまざまな場所で用いるために、特に人間工学的な効率を考慮してもよい。
【０１４４】
本発明は、異なる効果を得るために、異なる形状の面を呈するブラシを得ることが可能である。
【０１４５】
具体的に言えば、本発明は、一方の側面に実質的に平面の側面を、他方の側面に凹面または凸面である側面を有するブラシを得ることが可能である。
【０１４６】
また、本発明によって、一方の側面に直線の稜線を、正反対の側面に凹面または凸面である側面を有するブラシを製造することも可能である。
【０１４７】
最後に、本発明は、ブラシが睫毛と接触している間に、ステムの軸を中心にしてブラシが回転された場合に、ブラシの外形が変化する状態のため、および睫毛の間にブラシの剛毛が入るように仕向けるために横方向の動きを与えるコアの曲率のために、具体的に言えば、睫毛をよりよい状態にするほかに、既に開発されたブラシによって得られるさまざまな利点を保持するブラシの新規な生成を提供する。
【図面の簡単な説明】
【０１４８】
【図１】本発明のブラシを製造することができる最初のブラシの概略側面図。
【図２】剛毛の一部のみが示された図１に類似の図。
【図３】図２のIII−III断面。
【図４】ノッチが外側に向かって凹面を成している断面を呈している変形を示した図３に類似の図。
【図５】図２のIV−IVの断面。
【図６】図２のV−Vの断面。
【図７】図２のブラシのコアを湾曲させた本発明のブラシの側面図。
【図８】図７のVII−VIIの断面図。
【図９】最初のブラシの側面図であり、コアを湾曲させて本発明のブラシを利用することができる。
【図１０】図９のIX−IX断面。
【図１１】最初のブラシが三ではなく五つの実質的に平面のファセットを有する図９に類似の図。
【図１２】図１１のXI−XI断面図。
【図１３】最初のブラシが三ではなく七つの実質的に平面のファセットを有する図９に類似の図。
【図１４】図１３のXIII−XIII断面図。
【図１５】本発明によるブラシを製造するために用いることができるブラシのブランクの概略的な斜視図。
【図１６】図１５のXV−XVの断面図。
【図１７】ブランクの二つの隣接する側面において、図１５のブランクに形成される二つの凹面を成す円柱状のノッチを示した図。
【図１８】図１７のXVII−XVII断面図。
【図１９】本発明によるブラシを形成するため、コアが湾曲された後の図１７のブラシの側面図。
【図２０】図１９のブラシの斜視図。
【図２１】本発明によるブラシを製造するときに適したブラシのブランクの概略的な斜視図。
【図２２】実質的に平面であるファセットが、その上を機械加工された後の図２１のブランクを示した図。
【図２３】図２２のXXII−XXII断面。
【図２４】図２２のXXIII−XXIII断面。
【図２５】図２２のコアを湾曲させることによって得られる本発明のブラシの概略的な斜視図。
【図２６】本発明のブラシを製造することができる別のブランクを示した図。
【図２７】本発明のブラシを製造することができる、また別のブランクを示した図。
【図２８】本発明のブラシを製造することができる、更に別のブランクを示した図。
【図２９】本発明のブラシを製造することができる、他のブランクを示した図。
【図３０】実質的に平面であるファセットを形成するために、図２６のブランクを機械加工した後に得られたブラシを示した図。
【図３１】図３０のXXX−XXX断面。
【図３２】実質的に平面であるファセットを形成するために、図２７のブランクを機械加工した後に得られたブラシを示している。
【図３３】図３２のXXXII−XXXII断面図。
【図３４】実質的に平面であるファセットが、その上を機械加工された後の図２８のブランクを示した図。
【図３５】図３４のXXXIV−XXXIV断面図。
【図３６】実質的に平面であるファセットが、その上を機械加工された後の図２９のブランクを示した図。
【図３７】図３６のXXXVI−XXXVIの断面図。
【図３８】図３０のブラシのコアを湾曲させた、本発明によるブラシを示した図。
【図３９】図３２のブラシのコアを湾曲させた、本発明によるブラシを示した図。
【図４０】図３４のブラシのコアを湾曲させた、本発明によるブラシを示した図。
【図４１】図３６に示されている最初のブラシのコアを湾曲させた、本発明によるブラシを示した図。
【図４２】第二の軸を中心にしてコアを湾曲した後の図７のブラシを示した図。
【図４３】段差を有する断面を示した図。
【図４４】物質を収容し、睫毛に物質を塗布するための本発明によるブラシを取付けた道具を示した図。
【図４５】左撚りのツイストのコアを有する図７のブラシを示した図であり、ブラシは物質を睫毛に塗布している間を示している。
【図４６】螺旋状の鞘、睫毛、コアの軸の間のさまざまな角度を示した図。
【図４７】右撚りピッチを有するブラシに関する図４６と類似の図。
【図４８】ファセットが切削された砂時計形状のブラシを示した図。
【図４９】ノッチが形成されたラグビーボールの形をしたブラシを示した図。
【図５０】瞼の一端に位置する睫毛にメイクアップを施すために用いる図７のブラシを示した図。
【図５１】瞼の他端に位置する睫毛にメイクアップが施された図５０と類似の図。
【図５２】ステムに隣接したブラシの端部の付近で、ある角度に曲げられたコアの部分図。
【符号の説明】
【０１４９】
１０    ブラシ
１１    コア
１２    剛毛
１３    ステム
１４    包絡面
１４ａ  円錐台端部分
１４ｂ  主要部分
１４ｃ  ノッチ１５の底部
１５    ノッチ
１６    包絡面
１７    ファセット
１９    ノッチの間の稜線
２０    ブラシ
２１    包絡面
２１ａ  ブランクの端部分
２１ｂ  ブランクの主要部分
２１ｃ  ノッチの底部
２１ｄ  面
２１ｅ  ノッチの底部
２１ｆ  ブラシの面
２２    ノッチ
２３    ノッチ
２５    直線を成す縁
２６    円形の縁
３０    ブラシ
３１    ファセット
３２    最小直径円
３３    稜線領域
３４    直線でない領域
４０    ブラシ
４１    ファセット
４２    ブラシの端部分
４３    最大直径円
４４    ブラシの端部分の上縁
４５    ブラシの一部分
４６    ブラシの一部分の上縁
４７    ブラシの端部領域
４８    領域
５０    ブラシ
５１    ファセット
５３    最大直径円
５４    ブラシの一部分の上縁
５５    ブラシの一部分
５６    上縁
６０    ブラシ
６１    膨らんだ部分
６２    ファセット
６３    円部
６４    ブラシの下縁
６５    ブラシの上縁
７０    ブラシ
７１    ファセット
７３    円部
７４    下縁
９０    ブラシ
１００  アプリケータ道具
１０１  キャップ
１０２  容器
１０３  ネック
１０４  ワイパ
１１０  セットバック
１２０  ブラシ
１２１  凹面を成す縁
１２２  ファセット
１３０  ブラシ
１３１  ノッチ
Ａ      軸
Ｂ      軸
Ｃ      軸
Ｈ      睫毛
Ｋ      平面
Ｎ      シート
Ｐ      塗布される物質
ｖ      角度
Ｗ      曲率平面
Ｘ      軸
Ｙ      軸
【図１】
0004783574.tif 000002
【図２】
0004783574.tif 000003
【図３】
0004783574.tif 000004
【図４】
0004783574.tif 000005
【図５】
0004783574.tif 000006
【図６】
0004783574.tif 000007
【図７】
0004783574.tif 000008
【図８】
0004783574.tif 000009
【図９】
0004783574.tif 000010
【図１０】
0004783574.tif 000011
【図１１】
0004783574.tif 000012
【図１２】
0004783574.tif 000013
【図１３】
0004783574.tif 000014
【図１４】
0004783574.tif 000015
【図１５】
0004783574.tif 000016
【図１６】
0004783574.tif 000017
【図１７】
0004783574.tif 000018
【図１８】
0004783574.tif 000019
【図１９】
0004783574.tif 000020
【図２０】
0004783574.tif 000021
【図２１】
0004783574.tif 000022
【図２２】
0004783574.tif 000023
【図２３】
0004783574.tif 000024
【図２４】
0004783574.tif 000025
【図２５】
0004783574.tif 000026
【図２６】
0004783574.tif 000027
【図２７】
0004783574.tif 000028
【図２８】
0004783574.tif 000029
【図２９】
0004783574.tif 000030
【図３０】
0004783574.tif 000031
【図３１】
0004783574.tif 000032
【図３２】
0004783574.tif 000033
【図３３】
0004783574.tif 000034
【図３４】
0004783574.tif 000035
【図３５】
0004783574.tif 000036
【図３６】
0004783574.tif 000037
【図３７】
0004783574.tif 000038
【図３８】
0004783574.tif 000039
【図３９】
0004783574.tif 000040
【図４０】
0004783574.tif 000041
【図４１】
0004783574.tif 000042
【図４２】
0004783574.tif 000043
【図４３】
0004783574.tif 000044
【図４４】
0004783574.tif 000045
【図４５】
0004783574.tif 000046
【図４６】
0004783574.tif 000047
【図４７】
0004783574.tif 000048
【図４８】
0004783574.tif 000049
【図４９】
0004783574.tif 000050
【図５０】
0004783574.tif 000051
【図５１】
0004783574.tif 000052
【図５２】
0004783574.tif 000053